(57)【要約】【課題】細胞の数を適切にカウントすることができる。【解決手段】画像処理装置１００は、細胞が撮像された撮像画像を分割し、分割された領域に含まれる細胞核の数が２以上である場合、細胞核の数が２以上である領域を更に分割する。画像処理装置１００は、分割された領域に含まれる細胞核の数が２未満である場合、細胞核の数が２未満である領域を、細胞核が１含まれる領域又は細胞核が含まれない領域と判定する。【選択図】図１
2017164068.tif 000002
【特許請求の範囲】
【請求項１】
細胞が撮像された撮像画像を分割し、分割された領域に含まれる細胞核の数が２以上である場合、前記細胞核の数が２以上である領域を更に分割する分割部と、
分割された領域に含まれる細胞核の数が２未満である場合、前記細胞核の数が２未満である領域を、細胞核が１含まれる領域又は細胞核が含まれない領域と判定する判定部と
を有することを特徴とする判定装置。
【請求項２】
前記分割部は、分割された複数の領域のうち、分割された領域に対する細胞の存在する領域の割合が閾値未満となる領域を選択し、選択した領域に含まれる細胞核の数が２以上である場合、前記細胞核の数が２以上である領域を更に分割することを特徴とする請求項１に記載の判定装置。
【請求項３】
前記分割部は、分割された領域に含まれる細胞核の数が１となるまで、前記細胞核の数が２以上である領域を繰り返し分割することを特徴とする請求項１または２に記載の判定装置。
【請求項４】
前記分割部は、前記細胞核が１含まれる領域数に応じて、前記細胞数をカウントすることを特徴とする請求項１、２または３に記載の判定装置。
【請求項５】
撮像画像を所定サイズでメッシュ分割して得られる各分割画像領域について画像解析を実行し、前記各分割画像領域において検出された細胞領域の大きさが所定の基準を超えるか否か判定する分割部と、
検出された細胞領域の大きさが前記所定の基準を下回る分割画像領域を識別可能に表示する表示制御部と
を有することを特徴とする分析装置。
【請求項６】
前記表示制御部は、検出された細胞領域の大きさが前記所定の基準を下回る分割画像領域の撮像画像について更なるメッシュ分割がなされた画像を表示する、
ことを特徴とする請求項５に記載の分析装置。
【請求項７】
撮像画像を所定サイズでメッシュ分割して得られる各分割画像領域について画像解析を実行し、前記各分割画像領域において検出された細胞領域の大きさが所定の基準を超えるか否か判定する分割部と、
検出された細胞領域の大きさが前記所定の基準を下回る分割画像領域について、分割された各領域内の細胞検出数が１以下となるメッシュサイズで分割した状態での、細胞が検出される領域の総数を出力する算出部と
を有することを特徴とする算出装置。
【請求項８】
前記算出部は、検出された細胞領域の大きさが所定の基準を超える分割領域の総数に所定の細胞数を乗じて得られる値と、検出された細胞領域の大きさが所定の基準を下回る各分割領域について、細胞検出数が１以下となるメッシュサイズで分割した状態での、細胞検出数の総和とを加算した値を算出することを特徴とする請求項７に記載の算出装置。
【請求項９】
前記算出部は、前記加算した値が、所定の基準値を下回ることの検出に応じて、異常検出に関する示唆を出力する、ことを特徴とする請求項８に記載の算出装置。
【請求項１０】
コンピュータが実行する判定方法であって、
細胞が撮像された撮像画像を分割し、分割された領域に含まれる細胞核の数が２以上である場合、前記細胞核の数が２以上である領域を更に分割し、
分割された領域に含まれる細胞核の数が２未満である場合、前記細胞核の数が２未満である領域を、細胞核が１含まれる領域又は細胞核が含まれない領域と判定する
処理を実行することを特徴とする判定方法。
【請求項１１】
コンピュータが実行する分析方法であって、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域を識別可能に表示する
処理を実行することを特徴とする分析方法。
【請求項１２】
コンピュータが実行する算出方法であって、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域について、分割された各領域内の細胞検出数が１以下となるメッシュサイズで分割した状態での、細胞が検出される領域の総数を出力する
処理を実行することを特徴とする算出方法。
【請求項１３】
コンピュータに、
細胞が撮像された撮像画像を分割し、分割された領域に含まれる細胞核の数が２以上である場合、前記細胞核の数が２以上である領域を更に分割し、
分割された領域に含まれる細胞核の数が２未満である場合、前記細胞核の数が２未満である領域を、細胞核が１含まれる領域又は細胞核が含まれない領域と判定する
処理を実行させることを特徴とする判定プログラム。
【請求項１４】
コンピュータに、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域を識別可能に表示する
処理を実行させることを特徴とする分析プログラム。
【請求項１５】
コンピュータに、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域について、分割された各領域内の細胞検出数が１以下となるメッシュサイズで分割した状態での、細胞が検出される領域の総数を出力する
処理を実行させることを特徴とする算出プログラム。
【発明の詳細な説明】
【技術分野】
【０００１】
本発明は、判定装置等に関する。
【背景技術】
【０００２】
近年、病気を早期に発見するために眼底検査が行われている。眼底とは眼球の内面の部分であり、光や色を感じる網膜や、網膜が感じた情報を脳に伝える機能、網膜に栄養を与える血管等が存在する。
【０００３】
眼底検査の一例について説明する。ドクターは、眼底カメラにより撮影された患者の眼底画像を参照し、眼底画像に含まれる細胞数をカウントする。ドクターは、細胞数をカウントする作業を、定期的に実行して細胞数の時系列変化に着目し、眼底の細胞数が減少傾向にある場合に、病気の予兆があると診断する。
【先行技術文献】
【特許文献】
【０００４】
【特許文献１】特開２０１３−２０２１２号公報
【特許文献２】特開２０００−３３１１４３号公報
【発明の概要】
【発明が解決しようとする課題】
【０００５】
しかしながら、上述した従来技術では、細胞の数を適切にカウントすることができないという問題がある。
【０００６】
例えば、上記のようにドクターが手作業によって細胞の数をカウントしているため、ドクターの技量に応じてカウントされる細胞の数がまちまちとなり、適切に細胞の数をカウントできていない。
【０００７】
カウントされる細胞の数がまちまちとなる要因として、複数の細胞が重なっている場合に、単一の細胞か複数の細胞かを見分けることが難しいということがある。高精度の眼底カメラを用いることで、上記問題をある程度解消することもできるが、高精度の眼底カメラはコストが高く、導入することが現実的ではない。
【０００８】
１つの側面では、本発明は、適切に細胞の数をカウントすることができる判定装置、分析装置、算出装置、判定方法、分析方法、算出方法、判定プログラム、分析プログラムおよび算出プログラムを提供することを目的とする。
【課題を解決するための手段】
【０００９】
第１の案では、判定装置は、分割部と、判定部とを有する。分割部は、細胞が撮像された撮像画像を分割し、分割された領域に含まれる細胞核の数が２以上である場合、細胞核の数が２以上である領域を更に分割する。判定部は、分割された領域に含まれる細胞核の数が２未満である場合、細胞核の数が２未満である領域を、細胞核が１含まれる領域又は細胞核が含まれない領域と判定する。
【発明の効果】
【００１０】
細胞の数を適切にカウントすることができる。
【図面の簡単な説明】
【００１１】
【図１】図１は、本実施例に係る画像処理装置の構成を示す機能ブロック図である。
【図２】図２は、眼底画像データの一例を示す図である。
【図３】図３は、分類する処理を説明するための図である。
【図４】図４は、分割する処理を説明するための図（１）である。
【図５】図５は、分割する処理を説明するための図（２）である。
【図６】図６は、表示制御部が表示部に表示させる各メッシュの画像を示す図である。
【図７】図７は、本実施例に係る画像処理装置の処理手順を示すフローチャートである。
【図８】図８は、画像処理プログラムを実行するコンピュータの一例を示す図である。
【発明を実施するための形態】
【００１２】
以下に、本願の開示する判定装置、分析装置、算出装置、判定方法、分析方法、算出方法、判定プログラム、分析プログラムおよび算出プログラムの実施例を図面に基づいて詳細に説明する。なお、この実施例によりこの発明が限定されるものではない。
【実施例】
【００１３】
図１は、本実施例に係る画像処理装置の構成を示す機能ブロック図である。図１に示すように、画像処理装置１００は、眼底カメラ１１０と、入力部１２０と、表示部１３０と、記憶部１４０と、制御部１５０とを有する。画像処理装置は、判定装置、分析装置、算出装置の一例である。
【００１４】
眼底カメラ１１０は、患者の眼底の画像を撮像するカメラである。眼底カメラ１１０は、撮像した眼底の画像のデータを、画像処理装置１００の制御部１５０に出力する。以下の説明では、眼底の画像のデータを、眼底画像データと表記する。
【００１５】
入力部１２０は、各種の情報を画像処理装置１００に入力する入力装置である。入力部１２０は、キーボードやマウス、タッチパネル等に対応する。
【００１６】
表示部１３０は、制御部１５０から出力される眼底画像データ等を表示する表示装置である。表示部１３０は、ディスプレイやタッチパネル等に対応する。
【００１７】
記憶部１４０は、眼底画像データ１４１と、検出結果テーブル１４２とを有する。記憶部１４０は、例えば、ＲＡＭ（Random  Access  Memory）、ＲＯＭ（Read  Only  Memory）、フラッシュメモリ（Flash  Memory）などの半導体メモリ素子、またはハードディスク、光ディスクなどの記憶装置に対応する。
【００１８】
眼底画像データ１４１は、眼底カメラ１１０によって撮像された眼底の画像データである。図２は、眼底画像データの一例を示す図である。図２に示すように、眼底画像データ１４１には、複数の細胞の画像が含まれている。
【００１９】
検出結果テーブル１４２は、眼底画像データ１４１から検出された眼底の細胞の数の情報を格納するテーブルである。例えば、検出結果テーブル１４２は、患者の識別情報、検出した日付、眼底の細胞の数等を対応付ける。
【００２０】
制御部１５０は、受付部１５１、分割部１５２、判定部１５３、算出部１５４、表示制御部１５５を有する。制御部１５０は、例えば、ＡＳＩＣ（Application  Specific  Integrated  Circuit）や、ＦＰＧＡ（Field  Programmable  Gate  Array）などの集積装置に対応する。また、制御部１５０は、例えば、ＣＰＵやＭＰＵ（Micro  Processing  Unit）等の電子回路に対応する。
【００２１】
受付部１５１は、眼底カメラ１１０から眼底画像データ１４１を受け付け、眼底画像データ１４１を、記憶部１４０に格納する処理部である。
【００２２】
分割部１５２は、眼底画像データ１４１を分割し、分割した各領域を「第１グループ」または「第２グループ」に分類する処理と、第２グループに分類した各領域を所定の条件を満たすまで、更に分割する処理を実行する処理部である。
【００２３】
分割部１５２が、分割した各領域を第１グループまたは第２グループに分類する処理について説明する。図３は、分類する処理を説明するための図である。分割部１５２は、眼底画像データ１４１を１５分割することで、分割画像１４１ａを生成する。分割した１つの枠をメッシュとする。ここでは、各メッシュを区別するために、ｎ行ｍ列目のメッシュを、メッシュ（ｎ，ｍ）と表記する。図３に示す例では、メッシュ（１，１）〜（３，５）が示される。
【００２４】
分割部１５２は、各メッシュ（１，１）〜（３，５）について、細胞存在割合を算出する。分割部１５２は、細胞存在割合は、式（１）によって算出する。
【００２５】
メッシュ（ｎ，ｍ）の細胞存在割合＝メッシュ（ｎ，ｍ）に存在する細胞の面積／メッシュ（ｎ，ｍ）の面積×１００・・・（１）
【００２６】
例えば、分割部１５２は、メッシュ（ｎ，ｍ）に対して画像解析を実行し、細胞の色と、メッシュ（ｎ，ｍ）の色とを比較して、細胞が存在する部分を特定し、特定した部分の面積を足し合わせることで、メッシュ（ｎ，ｍ）に存在する細胞の面積を特定する。細胞の色は、予め、設定されているものとする。また、分割部１５２は、眼底画像データ１４１の面積を特定し、この眼底画像データを何分割したかにより、メッシュ（ｎ，ｍ）の面積を特定する。
【００２７】
分割部１５２は、各メッシュ（１，１）〜（３，５）のうち、細胞存在割合がＸＸ％以上となるメッシュを、第１グループに分類し、細胞存在割合がＸＸ％未満となるメッシュを、第２グループに分類する。ここで、「ＸＸ」の値は、利用者が適宜設定することができる。図３に示す例では、分割部１５２は、メッシュ（１，４）、（２，２）、（２，５）を第２グループに分類し、その他のメッシュを第１グループに分類する。分類部１５２は、第２グループに分類したメッシュの情報を、表示制御部１５５に出力する。
【００２８】
続いて、分割部１５２が、第２グループに分類した各領域を所定の条件を満たすまで、更に分割する処理について説明する。ここで、所定の条件は、分割したメッシュに含まれる細胞核の数が「１以下」という条件である。すなわち、分割部１５２は、第２グループに含まれるメッシュを更に分割し、分割したメッシュに含まれる細胞核の数が２以上である場合には、この細胞核の数が２以上であるメッシュを更に分割する処理を再帰的に実行する。
【００２９】
図４および図５は、分割する処理を説明するための図である。例えば、図４の分割画像１４１ｂは、第２グループに分類されたあるメッシュ（ｎ，ｍ）を更に１５分割した画像である。ここでは、各メッシュを、メッシュＧ１〜Ｇ１５とする。分割部１５２は、メッシュＧ１〜Ｇ１５に対して画像解析を実行し、細胞核の色と、メッシュの色とを比較して、各メッシュに含まれる細胞核の数を判定する。細胞核の色は、予め、設定されているものとする。
【００３０】
図４に示す例では、分割部１５２は、メッシュＧ１，Ｇ３，Ｇ４，Ｇ６，Ｇ１１，Ｇ１２，Ｇ１３，Ｇ１５に、細胞核が１つ含まれていると判定する。分割部１５２は、メッシュＧ５，Ｇ１０に、細胞核が２つ含まれていると判定する。分割部１５２は、その他のメッシュには、細胞核が含まれていないと判定する。分割部１５２は、細胞核を１つ含むメッシュを、カウント対象のメッシュとして特定する。分割部１５２は、細胞核を２つ以上含むメッシュを、分割対象のメッシュとして特定する。
【００３１】
例えば、分割部１５２は、分割対象のメッシュＧ５を更に１５分割すると、図５に示す分割画像１４１ｃに示すものとなる。ここでは、各メッシュを、メッシュＧ５１〜Ｇ５１５とする。分割部１５２は、メッシュＧ５１〜Ｇ５１５に対して画像解析を実行し、細胞核の色と、メッシュの色とを比較して、各メッシュに含まれる細胞核の数を判定する。
【００３２】
図５に示す例では、分割部１５２は、メッシュＧ５１，Ｇ５１５に、細胞核が１つ含まれていると判定し、その他のメッシュには、細胞核が含まれていないと判定する。
【００３３】
分割部１５２は、上記処理を繰り返し実行することで、細胞核を１つ含むメッシュをカウントする。分割部１５２は、細胞核を１つ含むメッシュの数と、第１グループに分類したメッシュの数を、算出部１５４に出力する。
【００３４】
分割部１５２は、分割した複数のメッシュと、メッシュに含まれる細胞核の数とを対応付けて、判定部１５３に出力する。
【００３５】
図１の説明に戻る。判定部１５３は、分割されたメッシュに含まれる細胞核の数が２未満である場合に、細胞核の数が２未満であるメッシュを、細胞核が１含まれるメッシュ又は細胞核が含まれないメッシュと判定する処理部である。判定部１５３は、判定結果を、表示部１３０に表示しても良い。また、判定部１５３は、分割部１５２と協働的に動作して、細胞核が２つ含まれているメッシュを判定し、判定結果を分割部１５２に通知し、分割部１５２は、通知されたメッシュを更に分割する処理を実行しても良い。
【００３６】
算出部１５４は、眼底画像データ１４１に含まれる眼底の細胞の総数を算出する処理部である。算出部１５４は、式（２）を基にして、眼底の細胞の総数を算出する。なお、式（２）に含まれる数字「１００００」は、ドクター等が適宜調整しても良い。
【００３７】
眼底の細胞の総数＝第１グループに分類したメッシュの数×１００００＋細胞核を１つ含むメッシュの数・・・（２）
【００３８】
算出部１５４は、算出した眼底の細胞の総数の情報を、表示部１３０に表示させる。また、算出部１５４は、眼底の細胞の総数と、日時と、患者の識別情報とを対応付けて、検出結果テーブル１４２に登録しても良い。
【００３９】
また、算出部１５４は、眼底の細胞の総数が基準値を下回る場合に、異常検出に関する示唆を表示部１３０に出力しても良い。例えば、算出部１５４は、警告等を音、文字などによって出力しても良い。
【００４０】
表示制御部１５５は、分類部１５２から、第２グループに分類したメッシュの情報を取得し、表示部１３０に、細胞領域の大きさが所定の基準を下回るメッシュを識別可能に表示する処理部である。
【００４１】
図６は、表示制御部が表示部に表示させる各メッシュの画像を示す図である。図６に示す例では、表示制御部１５５は、メッシュ（１，１）〜（３，５）の内、メッシュ（１，４）、（２，２）、（２，５）を、識別可能に表示する。メッシュ（１，４）、（２，２）、（２，５）は、細胞領域の大きさが所定の基準を下回るメッシュである。
【００４２】
また、表示制御部１５５は、細胞領域の大きさが所定の基準を下回るメッシュについて更なるメッシュ分割がなされた画像を分割部１５２から取得し、表示部１３０に表示しても良い。例えば、表示制御部１５５は、図４、図５に示した画像を、表示部１３０に表示させても良い。
【００４３】
次に、本実施例に係る画像処理装置１００の処理手順の一例について説明する。図７は、本実施例に係る画像処理装置の処理手順を示すフローチャートである。図７に示すように、画像処理装置１００の分割部１５２は、眼底画像データ１４１をメッシュ分割する（ステップＳ１０１）。画像処理装置１００の表示制御部１５５は、各メッシュについて、細胞存在割合がＸＸ％未満となるメッシュを強調表示する（ステップＳ１０２）。
【００４４】
分割部１５２は、細胞存在割合がＸＸ％未満となるメッシュを選択する（ステップＳ１０３）。分割部１５２は、選択したメッシュを更にメッシュ分割する処理を、メッシュに含まれる細胞核の数が１以下となるまで繰り返し実行する（ステップＳ１０４）。
【００４５】
画像処理装置１００の算出部１５４は、眼底の細胞の総数を算出する（ステップＳ１０５）。算出部１５４は、眼底の細胞の総数を表示部１３０に表示させる（ステップＳ１０６）。
【００４６】
次に、本実施例に係る画像処理装置１００の効果について説明する。画像処理装置１００は、眼底画像データ１４１をメッシュ分割し、メッシュに含まれる細胞核の数が２以上である場合、細胞核の数が２以上であるメッシュを更に分割する。画像処理装置１００は、メッシュに含まれる細胞核の数が２未満である場合、細胞核の数が２未満であるメッシュを、細胞核が１含まれるメッシュ又は細胞核が含まれないメッシュと判定する。このため、細胞核が１含まれるメッシュ１つに付き、細胞１つとカウントできるため、細胞の数を適切にカウントすることができる。
【００４７】
画像処理装置１００は、分割された複数のメッシュのうち、分割されたメッシュに対する細胞の存在する領域の割合が閾値未満となるメッシュを選択し、選択したメッシュに含まれる細胞核の数が２以上である場合、細胞核の数が２以上であるメッシュを更に分割する。画像処理装置１００は、分割されたメッシュに含まれる細胞核の数が１となるまで、細胞核の数が２以上であるメッシュを繰り返し分割する。また、画像処理装置１００は、細胞核が１含まれる領域数に応じて細胞数をカウントする。これにより、複数の細胞が重なっていても、各細胞を区別してカウントすることができる。
【００４８】
画像処理装置１００は、細胞領域の大きさが所定の基準を下回るメッシュを識別可能に表示する。このため、眼底の着目すべき領域をわかりやすく表示することができる。また、画像処理装置１００は、細胞領域の大きさが所定の基準を下回る分割画像の領域の画像について更なるメッシュ分割がなされた画像を表示する。このため、眼底の着目すべき領域を更に詳細に参照することができる。
【００４９】
画像処理装置１００は、式（２）を用いて、眼底の細胞の総数を算出する。式（２）によれば、第１グループに属するメッシュには、１００００個の細胞があると仮定し、１つの細胞核を含むメッシュ１つにつき一つの細胞があるとしている。このため、効率的に細胞の数をカウントすることができる。例えば、第１グループに属するメッシュについては、細胞を一つ一つ数えないので、計算コストを抑えることができる。また、１つの細胞核を含むメッシュ１つにつき一つの細胞があると判定するため、複数の細胞が重なっていても、細胞核が重なっていなければ、各細胞を切り分けて、適切に、細胞の数をカウントできる。
【００５０】
次に、上記実施例に示した画像処理装置１００と同様の機能を実現する画像処理プログラムを実行するコンピュータの一例について説明する。図８は、画像処理プログラムを実行するコンピュータの一例を示す図である。画像処理プログラムは、判定プログラム、分析プログラム、算出プログラムの一例である。
【００５１】
図８に示すように、コンピュータ２００は、各種演算処理を実行するＣＰＵ２０１と、ユーザからのデータの入力を受け付ける入力装置２０２と、ディスプレイ２０３とを有する。また、コンピュータ２００は、記憶媒体からプログラム等を読み取る読み取り装置２０４と、ネットワークを介して他のコンピュータとの間でデータの授受を行うインターフェース装置２０５と、眼底の細胞の画像を撮影する眼底カメラ２０６とを有する。また、コンピュータ２００は、各種情報を一時記憶するＲＡＭ２０７と、ハードディスク装置２０８とを有する。そして、各装置２０１〜２０８は、バス２０９に接続される。
【００５２】
ハードディスク装置２０８は、分割プログラム２０８ａ、判定プログラム２０８ｂ、算出プログラム２０８ｃ、表示制御プログラム２０８ｄを有する。ＣＰＵ２０１は、分割プログラム２０８ａ、判定プログラム２０８ｂ、算出プログラム２０８ｃ、表示制御プログラム２０８ｄを読み出してＲＡＭ２０７に展開する。
【００５３】
分割プログラム２０８ａは、分割プロセス２０７ａとして機能する。判定プログラム２０８ｂは、判定プロセス２０７ｂとして機能する。算出プログラム２０８ｃは、算出プロセス２０７ｃとして機能する。表示制御プログラム２０８ｄは、表示制御プロセス２０７ｄとして機能する。
【００５４】
分割プロセス２０７ａの処理は、分割部１５２の処理に対応する。判定プロセス２０７ｂの処理は、判定部１５３の処理に対応する。算出プロセス２０７ｃの処理は、算出部１５４の処理に対応する。表示制御プロセス２０７ｄの処理は、表示制御部１５５の処理に対応する。
【００５５】
なお、各プログラム２０８ａ〜２０８ｄについては、必ずしも最初からハードディスク装置２０８に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００が各プログラム２０８ａ〜２０８ｄを読み出して実行するようにしてもよい。 
【００５６】
以上の各実施例を含む実施形態に関し、さらに以下の付記を開示する。
【００５７】
（付記１）細胞が撮像された撮像画像を分割し、分割された領域に含まれる細胞核の数が２以上である場合、前記細胞核の数が２以上である領域を更に分割する分割部と、
分割された領域に含まれる細胞核の数が２未満である場合、前記細胞核の数が２未満である領域を、細胞核が１含まれる領域又は細胞核が含まれない領域と判定する判定部と
を有することを特徴とする判定装置。
【００５８】
（付記２）前記分割部は、分割された複数の領域のうち、分割された領域に対する細胞の存在する領域の割合が閾値未満となる領域を選択し、選択した領域に含まれる細胞核の数が２以上である場合、前記細胞核の数が２以上である領域を更に分割することを特徴とする付記１に記載の判定装置。
【００５９】
（付記３）前記分割部は、分割された領域に含まれる細胞核の数が１となるまで、前記細胞核の数が２以上である領域を繰り返し分割することを特徴とする付記１または２に記載の判定装置。
【００６０】
（付記４）前記分割部は、前記細胞核が１含まれる領域数に応じて、前記細胞数をカウントすることを特徴とする付記１、２または３に記載の判定装置。
【００６１】
（付記５）撮像画像を所定サイズでメッシュ分割して得られる各分割画像領域について画像解析を実行し、前記各分割画像領域において検出された細胞領域の大きさが所定の基準を超えるか否か判定する分割部と、
検出された細胞領域の大きさが前記所定の基準を下回る分割画像領域を識別可能に表示する表示制御部と
を有することを特徴とする分析装置。
【００６２】
（付記６）前記表示制御部は、検出された細胞領域の大きさが前記所定の基準を下回る分割画像領域の撮像画像について更なるメッシュ分割がなされた画像を表示する、
ことを特徴とする付記５に記載の分析装置。
【００６３】
（付記７）撮像画像を所定サイズでメッシュ分割して得られる各分割画像領域について画像解析を実行し、前記各分割画像領域において検出された細胞領域の大きさが所定の基準を超えるか否か判定する分割部と、
検出された細胞領域の大きさが前記所定の基準を下回る分割画像領域について、分割された各領域内の細胞検出数が１以下となるメッシュサイズで分割した状態での、細胞が検出される領域の総数を出力する算出部と
を有することを特徴とする算出装置。
【００６４】
（付記８）前記算出部は、検出された細胞領域の大きさが所定の基準を超える分割領域の総数に所定の細胞数を乗じて得られる値と、検出された細胞領域の大きさが所定の基準を下回る各分割領域について、細胞検出数が１以下となるメッシュサイズで分割した状態での、細胞検出数の総和とを加算した値を算出することを特徴とする付記７に記載の算出装置。
【００６５】
（付記９）前記算出部は、前記加算した値が、所定の基準値を下回ることの検出に応じて、異常検出に関する示唆を出力する、ことを特徴とする付記８に記載の算出装置。
【００６６】
（付記１０）コンピュータが実行する判定方法であって、
細胞が撮像された撮像画像を分割し、分割された領域に含まれる細胞核の数が２以上である場合、前記細胞核の数が２以上である領域を更に分割し、
分割された領域に含まれる細胞核の数が２未満である場合、前記細胞核の数が２未満である領域を、細胞核が１含まれる領域又は細胞核が含まれない領域と判定する
処理を実行することを特徴とする判定方法。
【００６７】
（付記１１）前記分割する処理は、分割された複数の領域のうち、分割された領域に対する細胞の存在する領域の割合が閾値未満となる領域を選択し、選択した領域に含まれる細胞核の数が２以上である場合、前記細胞核の数が２以上である領域を更に分割することを特徴とする付記１０に記載の判定方法。
【００６８】
（付記１２）前記分割する処理は、分割された領域に含まれる細胞核の数が１となるまで、前記細胞核の数が２以上である領域を繰り返し分割することを特徴とする付記１０または１１に記載の判定方法。
【００６９】
（付記１３）前記分割する処理は、前記細胞核が１含まれる領域数に応じて、前記細胞数をカウントすることを特徴とする付記１０、１１または１２に記載の判定方法。
【００７０】
（付記１４）コンピュータが実行する分析方法であって、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域を識別可能に表示する
処理を実行することを特徴とする分析方法。
【００７１】
（付記１５）前記表示する処理は、検出された細胞領域の大きさが前記所定の基準を下回る分割画像領域の撮像画像について更なるメッシュ分割がなされた画像を表示する、
ことを特徴とする付記１４に記載の分析方法。
【００７２】
（付記１６）コンピュータが実行する算出方法であって、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域について、分割された各領域内の細胞検出数が１以下となるメッシュサイズで分割した状態での、細胞が検出される領域の総数を出力する
処理を実行することを特徴とする算出方法。
【００７３】
（付記１７）前記算出する処理は、検出された細胞領域の大きさが所定の基準を超える分割領域の総数に所定の細胞数を乗じて得られる値と、検出された細胞領域の大きさが所定の基準を下回る各分割領域について、細胞検出数が１以下となるメッシュサイズで分割した状態での、細胞検出数の総和とを加算した値を算出することを特徴とする付記１６に記載の算出方法。
【００７４】
（付記１８）前記算出する処理は、前記加算した値が、所定の基準値を下回ることの検出に応じて、異常検出に関する示唆を出力する、ことを特徴とする付記１７に記載の算出方法。
【００７５】
（付記１９）コンピュータに、
細胞が撮像された撮像画像を分割し、分割された領域に含まれる細胞核の数が２以上である場合、前記細胞核の数が２以上である領域を更に分割し、
分割された領域に含まれる細胞核の数が２未満である場合、前記細胞核の数が２未満である領域を、細胞核が１含まれる領域又は細胞核が含まれない領域と判定する
処理を実行させることを特徴とする判定プログラム。
【００７６】
（付記２０）前記分割する処理は、分割された複数の領域のうち、分割された領域に対する細胞の存在する領域の割合が閾値未満となる領域を選択し、選択した領域に含まれる細胞核の数が２以上である場合、前記細胞核の数が２以上である領域を更に分割することを特徴とする付記１９に記載の判定プログラム。
【００７７】
（付記２１）前記分割する処理は、分割された領域に含まれる細胞核の数が１となるまで、前記細胞核の数が２以上である領域を繰り返し分割することを特徴とする付記１９または２０に記載の判定プログラム。
【００７８】
（付記２２）前記分割する処理は、前記細胞核が１含まれる領域数に応じて、前記細胞数をカウントすることを特徴とする付記１９、２０または２１に記載の判定プログラム。
【００７９】
（付記２３）コンピュータに、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域を識別可能に表示する
処理を実行させることを特徴とする分析プログラム。
【００８０】
（付記２４）前記表示する処理は、検出された細胞領域の大きさが前記所定の基準を下回る分割画像領域の撮像画像について更なるメッシュ分割がなされた画像を表示する、
ことを特徴とする付記２３に記載の分析プログラム。
【００８１】
（付記２５）コンピュータに、
撮像画像を所定サイズでメッシュ分割して得られる各分割画像領域について画像解析を実行し、前記各分割画像領域において検出された細胞領域の大きさが所定の基準を超えるか否か判定し、
検出された細胞領域の大きさが前記所定の基準を下回る分割画像領域について、分割された各領域内の細胞検出数が１以下となるメッシュサイズで分割した状態での、細胞が検出される領域の総数を出力する
処理を実行させることを特徴とする算出プログラム。
【００８２】
（付記２６）前記算出する処理は、検出された細胞領域の大きさが所定の基準を超える分割画像領域の総数に所定の細胞数を乗じて得られる値と、検出された細胞領域の大きさが所定の基準を下回る各分割画像領域について、細胞検出数が１以下となるメッシュサイズで分割した状態での、細胞検出数の総和とを加算した値を算出することを特徴とする付記２５に記載の算出プログラム。
【００８３】
（付記２７）前記算出する処理は、前記加算した値が、所定の基準値を下回ることの検出に応じて、異常検出に関する示唆を出力する、ことを特徴とする付記２６に記載の算出プログラム。
【符号の説明】
【００８４】
１００  画像処理装置
１１０  眼底カメラ
１２０  入力部
１３０  表示部
１４０  記憶部
１４１  眼底画像データ
１４２  検出結果テーブル
１５０  制御部
１５１  受付部
１５２  分割部
１５３  判定部
１５４  算出部
１５５  表示制御部
【図１】
2017164068.tif 000003
【図２】
2017164068.tif 000004
【図３】
2017164068.tif 000005
【図４】
2017164068.tif 000006
【図５】
2017164068.tif 000007
【図６】
2017164068.tif 000008
【図７】
2017164068.tif 000009
【図８】
2017164068.tif 000010